(57)【要約】【課題】ネットワークを介してデータをダウンロードすると共に、このデータを、携帯電話機に内蔵された非接触ＩＣカード用のリーダ／ライタを用いて非接触ＩＣカードに書き込む際に、該非接触ＩＣカードから発生する搬送波の高次高調波が、上記データのダウンロード通信に悪影響を及ぼし、データの書き込みが失敗する不都合を防止する。【解決手段】非接触ＩＣカード１０にデータの書き込みを行うリーダ／ライタ部５は、表示部２に表示される起動ボタンの操作をトリガとして起動する。表示処理部３３が、現在の受信強度を監視しており、この現在の受信強度のレベルが、予め定められている受信強度判定値以下のレベルである場合に、上記起動ボタンの表示形態を変更して表示制御すると共に、該起動ボタンが押圧された際に所定のエラーメッセージを表示部２に表示制御してリーダ／ライタ５の起動を抑止する。【選択図】  図２
2004180195.tif 000002
【特許請求の範囲】
【請求項１】
一つ或いは複数の基地局との間で無線通信を行う無線通信手段と、
非接触ＩＣカードに対して、上記無線通信手段を介してダウンロードされたデータの非接触書き込みを行う非接触書き込み手段と、
上記無線通信手段により上記基地局との間で行われる通信の通信強度を検出する通信強度検出手段と、
上記通信強度検出手段で検出された通信強度が、所定の通信強度以下の通信強度となっている間、上記非接触書き込み手段を動作させないように抑止制御する抑止制御手段と
を有する無線端末装置。
【請求項２】
上記通信強度検出手段で検出された通信強度が、所定の通信強度以下の通信強度となっている間、上記非接触ＩＣカードに対するデータの非接触書き込みができないことを報知する報知手段を有すること
を特徴とする請求項１記載の無線端末装置。
【請求項３】
上記報知手段は、上記非接触ＩＣカードに対してデータの非接触書き込みを行う際にユーザが選択操作する非接触書き込み選択ボタンを、表示手段に表示制御し、上記通信強度検出手段で検出された通信強度が、所定の通信強度以下の通信強度となっている間、上記選択ボタンの表示形態を所定の表示形態に変更すること
を特徴とする請求項２記載の無線端末装置。
【請求項４】
上記報知手段は、上記通信強度検出手段で検出された通信強度が、所定の通信強度以下の通信強度となっている間に、上記選択ボタンの操作を検出すると、所定のエラーメッセージを上記表示手段に表示制御すること
を特徴とする請求項３記載の無線端末装置。
【発明の詳細な説明】
【０００１】
【発明の属する技術分野】
本発明は、例えば携帯電話機，ＰＨＳ電話機（Ｐｅｒｓｏｎａｌ  Ｈａｎｄｙｐｈｏｎｅ  Ｓｙｓｔｅｍ  ）、或いは無線通信機能を備えたＰＤＡ（Ｐｅｒｓｏｎａｌ  Ｄｉｇｉｔａｌ（Ｄａｔａ）  Ａｓｓｉｓｔａｎｔｓ）等の無線通信機器に設けて好適な無線端末装置に関し、特に無線端末装置側に設けられた非接触ＩＣカード用リーダ／ライタを介して（他人の）非接触ＩＣカードにデータの書き込み（チャージ）を行う場合に、該書き込み時に発生する電波が、基地局と無線端末装置との間の通信に悪影響を及ぼす不都合を防止した無線端末装置に関する。
【０００２】
【従来の技術】
今日において、非接触ＩＣカードが、利用者の使い勝手の良さ、優れた耐久性、複数カードへの同時アクセスが可能、メンテナンス性の良さ等の利点を生かして鉄道の乗車券やプリペイドカードとして普及している。
【０００３】
このような非接触ＩＣカードは、ネットワークに接続された専用のリーダ／ライタに挿入することで、該非接触ＩＣカードに対してデータを書き込み、或いは該非接触ＩＣカードに記憶されているデータの再生，消去，更新を行うようになっている。
【０００４】
このため、非接触ＩＣカードの所有者は、上記データの書き込みや更新等を行う際に、上記リーダ／ライタが設置されている店舗まで出向く必要があり、非常に不便であった。
【０００５】
この対策として図８に示すように携帯電話機等の無線通信端末装置に非接触ＩＣカードのリーダ／ライタ１０１を設け、基地局１００を介してネットワークに接続された当該無線端末装置に非接触ＩＣカード１１０を近づけて通信を行うことにより、非接触ＩＣカードに対してデータの書き込みや更新等を行うことが提案されている。
【０００６】
【特許文献】
特開平１１−２１３１１１号
【０００７】
【発明が解決しようとする課題】
ここで、近接型である上記非接触ＩＣカード１１０の通信距離は約１０ｃｍであるため、非接触ＩＣカード１１０に対してデータの書き込みや更新等を行う場合には、該非接触ＩＣカード１１０が、携帯電話機のアンテナ１０２に対して非常に近接することとなる。
【０００８】
しかし、非接触ＩＣカード１１０は、ＩＣカードアンテナ１１１と、ＩＣカードチップ１１２を有しており、リーダ／ライタ１０１が発生する例えば１３．５６ＭＨｚ等の搬送波の交流磁界に基づいて駆動するようになっているため、上記ＩＣカードアンテナ１１１には、ダイオード等の非線形素子が接続されている。そして、リーダ／ライタ１０１と通信を行う際に、非接触ＩＣカード１１０は上記搬送波の高次高調波を発生する。
【０００９】
このため、非接触ＩＣカード１１０が発生する上記搬送波の高次高調波や、この高次高調波と携帯電話機からの送信波との混合波が、基地局１００とアンテナ１０２間における通信成分に対するノイズ成分となり、携帯電話機の受信性能を劣化させるおそれがある。
【００１０】
そして、この受信性能が劣化することで、データのダウンロードに時間を要し、非接触ＩＣカード１１０にデータの書き込み等を行う時間が長時間化したり、データのダウンロードが中断され、データの書き込み等に失敗するおそれがある。
【００１１】
本発明は、上述の課題に鑑みてなされたものであり、非接触ＩＣカードが発生する搬送波の高次高調波等が、非接触ＩＣカードに書き込むデータのダウンロードに悪影響を及ぼし、該データの書き込みが長時間化或いは失敗する不都合を防止することができるような無線端末装置の提供を目的とする。
【００１２】
【課題を解決するための手段】
本発明は、基地局との間の通信強度が所定の通信強度以下の場合に、抑止制御手段が非接触書き込み手段を動作させないように抑止制御する。
【００１３】
これにより、不安定な通信状態時に、非接触書き込み手段により非接触ＩＣカードへの書き込みが実行され、該非接触ＩＣカードが発生する搬送波の高次高調波等が、非接触ＩＣカードに書き込むデータのダウンロードに悪影響を及ぼし、該データの書き込みが長時間化或いは失敗する不都合を未然に防止する。
【００１４】
【発明の実施の形態】
本発明は、携帯電話機に適用することができる。
【００１５】
［実施の形態の構成］
図１（ａ）〜（ｃ）に、この本発明の実施の形態となる携帯電話機の外観を示す。詳しくは、図１（ａ）は、携帯電話機の前面側（操作面側）の構成を、図１（ｂ）は、携帯電話機の背面側の構成を、図１（ｃ）は、携帯電話機の背面に近接して非接触ＩＣカード１０が設けられた様子を示している。
【００１６】
まず、図１（ａ）において、この携帯電話機の前面側には、一つ或いは複数の基地局との間でデータの送受信を行うアンテナ１と、後に説明する複数の操作ボタンや現在の受信強度を示すピクトマーク（或いは「圏外」の文字）等を表示する表示部２とが設けられている。
【００１７】
また、この携帯電話機の前面側には、電話機本体の長手方向に沿って回転自在（＝上下方向に回転自在）とされたポインティングデバイス３と、テンキー等で構成された操作キー４が設けられている。
【００１８】
次に図１（ｂ）において、この携帯電話機の背面側は、外見上は略々フラットな平板状となっているのであるが、その内部には、ＩＣカードアンテナ１１及びＩＣカードチップ１２を有する非接触ＩＣカード１０に対してデータの書き込み，読み出し，消去，更新等を行うリーダ／ライタ５が設けられている。
【００１９】
このリーダ／ライタ５は、この携帯電話機の背面側から、例えば１３．５６ＭＨｚの搬送波を発生してデータの書き込み等を行うようになっている。
【００２０】
リーダ／ライタ５の通信距離は例えば数センチとなっている。このため、非接触ＩＣカード１０に対してデータを書き込む際には、図１（ｃ）に示すように非接触ＩＣカード１０を携帯電話機の背面側数センチの距離まで近づける必要がある。
【００２１】
次に、図２は携帯電話機のブロック的な構成を示している。この図２からわかるように、携帯電話機は、大きく分けて携帯電話通信部２０と、前述のリーダ／ライタ５と、記憶部２６、処理部３１、及び表示部２とを有している。
【００２２】
携帯電話通信部２０は、基地局５０との間でデータの送受信処理を行う基地局間通信処理部２１と、現在、基地局５０から受信している電波の強度を測定する受信電波強度測定部２２と、基地局５０を介してダウンロードした上記非接触ＩＣカード１０に書き込むためのデータをリーダ／ライタ５に伝送する伝送処理部２３とを有している。
【００２３】
リーダ／ライタ５は、上記携帯電話通信部２０の伝送処理部２３から送信された上記書き込み用のデータを、例えば１３．５６ＭＨｚの搬送波に重畳して送信することで、非接触ＩＣカード１０に上記データの書き込みを行うと共に、該１３．５６ＭＨｚの搬送波に基づいて非接触ＩＣカード１０に記憶されているデータを読み出すＩＣカード間通信処理部２４を有している。
【００２４】
また、リーダ／ライタ５は、基地局５０を介して受信した書き込み用のデータをＩＣカード間通信処理部２４に伝送し、非接触ＩＣカード１０から読み出された表示用のデータを処理部３１に伝送する伝送処理部２５を有している。
【００２５】
記憶部２６は、当該携帯電話機の通信プログラムが記憶された携帯電話通信プログラム記憶部２９と、データ処理用のプログラム等のアプリケーションプログラムが記憶されたアプリケーションプログラム記憶部３０とを有している。
【００２６】
また、記憶部２６は、受信強度に対応するピクトマークを表示するための受信強度判定値が記憶された受信強度判定値記憶部２７と、リーダ／ライタ５の起動の是非を判断するためのしきい値となる「ＩＣカード用受信強度判定値」が記憶されたＩＣカード用受信強度判定値記憶部２８とを有している。
【００２７】
処理部３１は、データに対して所定のデータ処理を施すアプリケーション処理部３２と、受信強度判定値記憶部２７からの受信強度判定値に基づいて、現在の受信強度に対応するピクトマークを表示部２に表示し、ＩＣカード用受信強度判定値記憶部２８からのＩＣカード用受信強度判定値と、上記受信電波強度測定部２２からの現在の受信電波強度を示す値とに基づいて、以下に説明するリーダ／ライタ５の起動抑制処理を行う表示処理部３３とを有している。
【００２８】
［実施の形態の動作］
まず、図３は、ＣＤＭＡ方式（Ｃｏｄｅ  Ｄｉｖｉｓｉｏｎ  Ｍｕｌｔｉｐｌｅ  Ａｃｃｅｓｓ）に対応する携帯電話機のデータの受信強度（受信レベル）、及びデータの送信強度（送信レベル）の関係を示す特性図である。横軸が受信強度、縦軸が送信強度である。
【００２９】
ＣＤＭＡ方式の場合、携帯電話機は、基地局からの下り受信強度を測定し、下りリンクの伝搬ロスを測定する。そして、この測定値に基づいて携帯電話機の上り送信強度を決定する。
【００３０】
このため、この送受信強度特性としては、受信強度が小さくなると送信強度が大きくなり、反対に、受信強度が大きくなると送信強度が小さくなり、図３に示すような右肩下がりのリニアな特性を示すようになる。
【００３１】
携帯電話機の受信電波強度測定部２２は、刻々と変化する受信強度を測定しており、この測定出力を表示処理部３３に供給する。
【００３２】
表示処理部３３には、この受信強度の測定出力の他、受信強度判定値記憶部２７からの、ピクトマークを表示するための受信強度判定値が供給されている。具体的には、この例の場合、図３に示すように
１．受信強度が−１１０ｄｂよりも小さな値の場合は「圏外」と表示され、
２．受信強度が−１１０ｄｂ〜−１００ｄｂ未満の値の場合は「１本」のピクトマークが表示され、
３．受信強度が−１００ｄｂ〜−９０ｄｂ未満の値の場合は「２本」のピクトマークが表示され、
４．受信強度が−９０ｄｂ以上の値の場合は「３本」のピクトマークが表示されるようになっている（つまり、この例の場合は、最高で３本のピクトマークが表示される。）。
【００３３】
このため、表示処理部３３は、上記現在の受信強度の測定出力の値と、受信強度判定値記憶部２７からの受信強度判定値とを比較することで、表示するピクトマークの本数を検出する。そして、この検出した本数分のピクトマークを表示部２に表示制御する。
【００３４】
これにより、現在の受信強度が−９０ｄｂ以上の値の場合は、図４に示すように３本のピクトマークが表示部２に表示され、又は現在の受信強度が−１１０ｄｂよりも小さな値の場合は、図５に示すように「圏外」の文字が表示部２に表示され、或いは現在の受信強度が−１１０ｄｂ〜−１００ｄｂ未満の値の場合は、図６又は図７に示すように「１本」のピクトマークが表示部２に表示されることとなる。
【００３５】
〔リーダ／ライタの起動抑制処理〕
ここで、当該実施の形態の携帯電話機の場合、リーダ／ライタ５が内蔵されているため、基地局５０を介してデータをダウンロードしながら、非接触ＩＣカード１０に該データを書き込むことができる。これは、当該携帯電話機の通信機能とリーダ／ライタ５による書き込み機能を同時に稼働させることを意味する。
【００３６】
しかし、リーダ／ライタ５が非接触ＩＣカード１０と通信を行う際に、非接触ＩＣカード１０から搬送波の高次高調波が発生する。
【００３７】
そして、上記搬送波の高次高調波や、この高次高調波と携帯電話機からの送信波との混合波が、基地局５０と当該携帯電話機のアンテナ１との間における通信を妨害し、データのダウンロードに時間を要し、非接触ＩＣカード１０にデータの書き込み等を行う時間が長時間化したり、データのダウンロードが中断され、データの書き込み等に失敗するおそれがある。
【００３８】
このため、当該実施の形態の携帯電話機では、現在の受信強度が所定レベル以下の場合は、ユーザが希望した場合でも非接触ＩＣカード１０へのデータの書き込みを制限するようになっている。
【００３９】
具体的には、このような制限は、現在の受信強度の値と、ＩＣカード用受信強度判定値記憶部２８から供給される「ＩＣカード用受信強度判定値」とに基づいて処理部３１により実行されるようになっている。
【００４０】
「ＩＣカード用受信強度判定値」は、この例の場合、図３に示すように約−９５ｄｂの受信強度に設定されている。このＩＣカード用受信強度判定値の値は、上記２本のピクトマークに相当する、受信強度が−１００ｄｂ〜−９０ｄｂ未満の範囲内に設定されている。
【００４１】
このＩＣカード用受信強度判定値の値は、約−９５ｄｂよりも低い受信強度時に、リーダ／ライタ５から非接触ＩＣカード１０にデータの書き込みを行っても、上記高次高調波等により、基地局と携帯電話機との間のダウンロード通信が妨害され、まともなデータの書き込みを行うことができないと想定されることに基づいて設定された値である。
【００４２】
このため、処理部３１は、受信電波強度測定部２２から伝送される現在の受信強度を示す値と、ＩＣカード用受信強度判定値記憶部２８から供給される「ＩＣカード用受信強度判定値」とを比較する。
【００４３】
そして、現在の受信強度の値が、上記「ＩＣカード用受信強度判定値」以下の値を示す場合、前述のように、まともなデータの書き込みを行うことができないことが想定されるため、ユーザにより起動指示がなされた場合でも、上記リーダ／ライタ５の起動を抑止制御する。
【００４４】
これにより、受信強度が「ＩＣカード用受信強度判定値」以下の場合に、リーダ／ライタ５を動作させないように抑止制御することができ、不安定な受信強度時に非接触ＩＣカード１０への書き込みが実行され、非接触ＩＣカード１０が発生する搬送波の高次高調波等が、非接触ＩＣカード１０に書き込むデータのダウンロードに悪影響を及ぼし、該データの書き込みが長時間化或いは失敗する不都合を未然に防止することができる。
【００４５】
また、表示処理部３３は、図５或いは図７に示すように非接触ＩＣカード１０へのデータの書き込みを指示するためのボタン（この例の場合「他カードへのチャージ」と文字が書かれたボタン）の表示色や表示輝度を変更制御する。
【００４６】
これにより、非接触ＩＣカード１０へのデータの書き込みは、現在、行うことができないことをユーザに認識させることができる。
【００４７】
さらに、このような場合に上記非接触ＩＣカード１０へのデータの書き込みを指示するためのボタンが操作された場合には、表示処理部３３は、図６に示すように例えば「電波の強度が足りません」等の、データの書き込みが禁止されていることをしめすエラーメッセージを表示部２に表示制御する。
【００４８】
これにより、非接触ＩＣカード１０へのデータの書き込みは、現在、行うことができないことをユーザに対して、さらに認識させることができる。
【００４９】
なお、上記非接触ＩＣカード１０へのデータの書き込みを指示するためのボタンが操作された場合に、ビープ音等を発音制御して、非接触ＩＣカード１０へのデータの書き込みは、現在、行うことができないことをユーザに対して認識させるようにしてもよい。
【００５０】
［実施の形態の効果］
以上の説明から明らかなように、当該実施の形態の携帯電話機は、受信強度が「ＩＣカード用受信強度判定値」以下の場合に、リーダ／ライタ５を動作させないように抑止制御する。
【００５１】
これにより、不安定な受信強度時に非接触ＩＣカード１０への書き込みが実行され、非接触ＩＣカード１０が発生する搬送波の高次高調波等が、非接触ＩＣカード１０に書き込むデータのダウンロードに悪影響を及ぼし、該データの書き込みが長時間化或いは失敗する不都合を未然に防止することができる。
【００５２】
なお、上述の実施の形態は本発明の一例である。このため、本発明は、上述の実施形態に限定されることはなく、この実施の形態以外であっても、本発明に係る技術的思想を逸脱しない範囲であれば、設計等に応じて種々の変更が可能であることは勿論であることを付け加えておく。
【００５３】
【発明の効果】
本発明は、基地局との間の通信強度が所定の通信強度以下の場合に、抑止制御手段が非接触書き込み手段を動作させないように抑止制御することができる。
【００５４】
これにより、不安定な通信状態時に、非接触書き込み手段により非接触ＩＣカードへの書き込みが実行され、該非接触ＩＣカードが発生する搬送波の高次高調波等が、非接触ＩＣカードに書き込むデータのダウンロードに悪影響を及ぼし、該データの書き込みが長時間化或いは失敗する不都合を未然に防止することができる。
【図面の簡単な説明】
【図１】本発明を適用した実施の形態となる携帯電話機の構成を示す図である。
【図２】上記実施の形態の携帯電話機のブロック図である。
【図３】上記実施の形態の携帯電話機の受信強度判定値を説明するための図である。
【図４】上記実施の形態の携帯電話機の表示画面に、受信強度が中レベルのときに表示される各ボタンの表示形態を示す図である。
【図５】上記実施の形態の携帯電話機の表示画面に、受信強度が圏外レベルのときに表示される各ボタンの表示形態を示す図である。
【図６】上記実施の形態の携帯電話機の表示画面に、受信強度が低レベルのときに表示されるエラーメッセージを示す図である。
【図７】上記実施の形態の携帯電話機の表示画面に、受信強度が低レベルのときに表示される各ボタンの表示形態を示す図である。
【図８】リーダ／ライタの搬送波の高次高調波が、基地局との通信に及ぼす悪影響を説明するための図である。
【符号の説明】
１…アンテナ、２…表示部、３…ポインティングデバイス、４…操作キー、５…リーダ／ライタ部、１０…非接触ＩＣカード、１１…ＩＣカードアンテナ、１２…ＩＣカードチップ、２０…携帯電話通信部、２１…基地局間通信処理部、２２…受信電波強度測定部、２３…伝送処理部、２４…ＩＣカード間通信処理部、２５…伝送処理部、２６…記憶部、２７…受信強度判定値記憶部、２８…ＩＣカード用受信強度判定値記憶部、２９…携帯電話通信プログラム記憶部、３０…アプリケーションプログラム記憶部、３１…処理部、３２…アプリケーション処理部、３３…表示処理部
【図１】
2004180195.tif 000003
【図２】
2004180195.tif 000004
【図３】
2004180195.tif 000005
【図４】
2004180195.tif 000006
【図５】
2004180195.tif 000007
【図６】
2004180195.tif 000008
【図７】
2004180195.tif 000009
【図８】
2004180195.tif 000010